(57)【要約】【課題】配信対象ファイル毎に振分先を指定することなく所望の振分先へファイルを配信可能にする。【解決手段】ファイル振分条件は、１つ以上のファイル関連要素の論理式を含み、ファイルの関連情報がこの論理式を満たす場合に、この論理式に対応したファイル振分先アドレスをファイル振分先アドレスと決定する。ファイル振分条件には、この論理式が黙示的に含まれていてもよい。【選択図】図３
2011100264.tif 000002
【特許請求の範囲】
【請求項１】
ネットワークに結合され、該ネットワークに結合された情報端末装置へファイルを配信するファイル配信装置において、
ファイル振分条件とファイル振分先アドレスとを対応付けたファイル振分情報が格納される記憶手段と、
受け取ったファイルの振分先アドレスを、該ファイルの関連情報と該ファイル振分情報とに基づいて決定するファイル振分先決定手段と、
決定されたファイル振分先アドレスへ該ファイルを配信するファイル配信手段と、
を有することを特徴とするファイル配信装置。
【請求項２】
自装置内のフォルダへファイルを配信するファイル配信装置において、
ファイル振分条件とファイル振分先アドレスとを対応付けたファイル振分情報が格納される記憶手段と、
受け取ったファイルの振分先アドレスを、該ファイルの関連情報と該ファイル振分情報とに基づいて決定するファイル振分先決定手段と、
決定されたファイル振分先アドレスへ該ファイルを配信するファイル配信手段と、
を有することを特徴とするファイル配信装置。
【請求項３】
該ファイル関連情報は、複数のファイル関連要素を含み、
該ファイル振分条件は、１つ以上のファイル関連要素の論理式を実質的に含み、
該ファイル振分先決定手段は、該ファイルの関連情報が該論理式を満たす場合に該論理式に対応したファイル振分先アドレスを該ファイルの振分先アドレスと決定する、
ことを特徴とする請求項１又は２に記載のファイル配信装置。
【請求項４】
該受け取ったファイルは、該ネットワークに結合された情報端末装置から受信したファイルであることを特徴とする請求項３に記載のファイル配信装置。
【請求項５】
該受け取ったファイルは、自装置で生成されたファイルであることを特徴とする請求項３に記載のファイル配信装置。
【請求項６】
該ファイル関連要素として、ファイル名中の文字列を含むことを特徴とする請求項４又は５に記載のファイル配信装置。
【請求項７】
該ファイル関連要素として、ファイル配信元ユーザ識別子を含むことを特徴とする請求項４乃至６のいずれか１つに記載のファイル配信装置。
【請求項８】
該ファイル関連要素として、ファイル配信元装置識別子を含むことを特徴とする請求項４乃至７に記載のファイル配信装置。
【請求項９】
該ファイル関連要素として、ファイルフォーマット識別子を含むことを特徴とする請求項４乃至８のいずれか１つに記載のファイル配信装置。
【請求項１０】
該ファイル関連要素として、ファイル作成日時を含み、該論理式は該ファイル作成日時が所定値以上又は所定値以下であるときに真となる式を実質的に含むことを特徴とする請求項４乃至９のいずれか１つに記載のファイル配信装置。
【請求項１１】
請求項１乃至１０のいずれか１つに記載のファイル配信装置と、
情報端末装置と、
がネットワーク結合されていることを特徴とするファイル配信システム。
【請求項１２】
ネットワークに結合されたコンピュータに対し、該ネットワークを介し受信したファイルを、該ネットワークに結合された情報端末装置へ配信させるファイル配信プログラムにおいて、該コンピュータに対し、
記憶手段から、ファイル振分条件とファイル振分先アドレスとを対応付けたファイル振分情報を読み出させ、
該受信したファイルの振分先アドレスを、該ファイルの関連情報と該ファイル振分情報とに基づいて決定させ、
決定されたファイル振分先アドレスへ該ファイルを配信させる、
ことを特徴とするファイル配信プログラム。
【発明の詳細な説明】
【技術分野】
【０００１】
本発明は、ファイル配信装置及びシステム並びにファイル配信プログラムに係り、特に、ネットワークを介し受け取った又は自装置内で受け取ったファイルを、ネットワークに結合された情報端末装置又は自装置内のフォルダへファイルを配信するファイル配信装置及びシステム並びにファイル配信プログラムに関する。
【背景技術】
【０００２】
ファイル共有サービスプロトコル、例えばＳＭＢ（Server Message Block）プロトコルを用いたファイル共有サービスによれば、コンピュータ間でのファイル配信システムを構築することができる（下記特許文献１）。例えば、パーソナルコンピュータ内の所定フォルダを共有フォルダにして画像形成装置でこのフォルダを操作可能にし、画像形成装置でスキャンした画像のファイルをこの共有フォルダへ投入することにより、ファイルを該パーソナルコンピュータ内の該共有フォルダ内へ送信することができる。ファイル共有サービスは、ＯＳ（オペレーティングシステム）に備えられているので、専用アプリケーションを追加することなく、ファイル配信システムを容易に構築することができる。
【０００３】
一方、下記特許文献２には、データファイルと自動送信制御ファイルとをメモリに記憶し、この自動送信制御ファイルの内容に従って、通信手段でデータファイルを送信する自動送信方法が開示されている。
【先行技術文献】
【特許文献】
【０００４】
【特許文献１】特開２００２−２９７４６７号公報
【特許文献２】特開２００６−０４８７０７号公報
【発明の概要】
【発明が解決しようとする課題】
【０００５】
しかしながら、上記自動送信方法では、自動送信制御ファイル内に、送信すべきファイルのファイル名と送信先の電子メールアドレスなどとを１対１に対応付けているので、送信対象のファイル毎にそのファイル名と送信先情報とを自動送信制御ファイル内に記述しなければならない。この問題は、自装置内のフォルダへファイルを振り分けて配信（移動）させる場合や、１つのファイルを複数箇所へ振り分けて配信する場合にも生ずる。
【０００６】
本発明の目的は、このような問題点に鑑み、配信対象ファイル毎に振分先を指定することなく所望の振分先へファイルを配信することが可能なファイル配信装置及びシステム並びにファイル配信プログラムを提供することにある。
【課題を解決するための手段】
【０００７】
本発明の第１態様では、ネットワークに結合され、該ネットワークに結合された情報端末装置へファイルを配信するファイル配信装置において、
ファイル振分条件とファイル振分先アドレスとを対応付けたファイル振分情報が格納される記憶手段と、
受け取ったファイルの振分先アドレスを、該ファイルの関連情報と該ファイル振分情報とに基づいて決定するファイル振分先決定手段と、
決定されたファイル振分先アドレスへ該ファイルを配信するファイル配信手段とを有する。
【０００８】
本発明の第２態様では、自装置内のフォルダへファイルを配信するファイル配信装置において、
ファイル振分条件とファイル振分先アドレスとを対応付けたファイル振分情報が格納される記憶手段と、
受け取ったファイルの振分先アドレスを、該ファイルの関連情報と該ファイル振分情報とに基づいて決定するファイル振分先決定手段と、
決定されたファイル振分先アドレスへ該ファイルを配信するファイル配信手段とを有する。
【０００９】
本発明によるファイル配信装置の第３態様では、第１又は２態様において、該ファイル関連情報は、複数のファイル関連要素を含み、該ファイル振分条件は、１つ以上のファイル関連要素の論理式を実質的に含み、該ファイル振分先決定手段は、該ファイルの関連情報が該論理式を満たす場合に該論理式に対応したファイル振分先アドレスを該ファイルの振分先アドレスと決定する。
【発明の効果】
【００１０】
上記第１又は第２態様の構成によれば、受け取ったファイルの振分先アドレスを、該ファイルの関連情報と、ファイル振分条件とファイル振分先アドレスとを対応付けたファイル振分情報該ファイル振分情報とに基づいてファイル振分先アドレスを決定し、このアドレスにファイルを配信するので、配信対象ファイル毎に振分先を指定することなく所望の振分先へファイルを配信することが可能となるという効果を奏する。
【００１１】
上記第３態様の構成によれば、該ファイル振分条件が、１つ以上のファイル関連要素の論理式を実質的に含み、該ファイルの関連情報が該論理式を満たす場合に該論理式に対応したファイル振分先アドレスを該ファイルの振分先アドレスと決定するので、ファイル振分条件を容易に設定できるという効果を奏する。
【００１２】
本発明の他の目的、構成及び効果は以下の説明から明らかになる。
【図面の簡単な説明】
【００１３】
【図１】本発明の実施例１に係るファイル配信装置とパーソナルコンピュータとのファイル配信に関する機能ブロック図である。
【図２】図１中の解析モジュールの構成を示す概略ブロック図である。
【図３】本発明の実施例１に係るファイル振分情報としての、図１中の振分条件／振分先対応情報の説明図である。
【図４】ユーザが画像形成装置を操作して原稿画像をスキャンさせることにより、スキャン画像を生成し、そのファイルを、ファイル配信装置を介しその装置内のフォルダや外部パーソナルコンピュータへ自動配信する処理のシーケンス図である。
【図５】本発明の実施例１に係るファイル配信装置とパーソナルコンピュータとのシステムのハードウェア概略ブロック図である。
【図６】本発明の実施例１に係るファイル配信システムの概略説明図である。
【図７】本発明の実施例２に係るファイル振分情報としての、図１中の振分条件／振分先対応情報の説明図である。
【実施例１】
【００１４】
図６は、本発明の実施例１に係るファイル配信システムの概略説明図である。
【００１５】
ファイル送信を仲介するファイル配信装置１０は、送信元の画像形成装置２０と、配信先のＰＣ（パーソナルコンピュータ）３１〜３Ｎと共に、ネットワーク４０に結合されている。画像形成装置２０からファイル配信装置１０へのファイル送信及びファイル配信装置１０からＰＣ３１〜３Ｎのうちの１つ以上の装置へのファイル配信は、これらのＯＳに備えられているファイル共有サービスを用いて行う。すなわち、送信先の補助記憶装置に共有フォルダを作成し、送信元でこれを操作可能にして、この共有フォルダへファイルを投入することにより、ファイルを送信する。
【００１６】
図５は、ファイル配信装置１０とＰＣ３ｉとのファイル配信に関するハードウェア概略ブロック図である。このＰＣ３ｉは、図６のＰＣ３１〜３Ｎのいずれかである。
【００１７】
ファイル配信装置１０では、ＣＰＵ１１がインターフェイス１２を介してＰＲＯＭ１３、ＤＲＡＭ１４、ハードディスクドライブ１５、ネットワークインターフェイス１６及び会話型入出力装置１７に結合されている。図５では、簡単化の為に、複数種のインターフェイスを１つのブロック１２で表している。
【００１８】
ＰＲＯＭ１３は、例えばフラッシュメモリであり、ＢＩＯＳが格納されている。ＤＲＡＭ１４は、主記憶装置として用いられる。ハードディスクドライブ１５には、仮想記憶方式のＯＳ、各種ドライバ及びファイル配信アプリケーション並びに振分条件／振分先対応情報Ｉｎｆｏ１を含むデータが格納されている。ネットワークインターフェイス１６は、ネットワーク４０に結合されている。会話型入出力装置１７は、例えばキーボード、ポインティングデバイス及び表示装置を備えている。
【００１９】
ＰＣ３ｉの構成要素３１〜３７はそれぞれファイル配信装置１０の構成要素１１〜１７に対応している。ハードディスクドライブ３５には、印刷用データを生成するアプリケーション及びプリンタドライバが格納されている。
【００２０】
図１は、ファイル配信装置１０とＰＣ３ｉとのファイル配信に関する機能ブロック図である。
【００２１】
各機能ブロックは、コンピュータのハードウェアとソフトウェアとの協働により動作する。
【００２２】
図４は、ユーザＵが画像形成装置２０を操作して原稿画像をスキャンさせることにより、スキャン画像を生成し、そのファイルを、ファイル配信装置１０を介しＰＣ３ｉに自動送信する処理のシーケンス図である。以下、括弧内は図４中のシーケンスのステップ識別符号である。
【００２３】
（Ｓ１）ユーザは、画像形成装置２０の操作パネルを操作し又はＩＣカードにより、ユーザＩＤとパスワードとを画像形成装置２０に入力してログインし、操作パネルでスキャン機能を選択し、画像読取りにおけるカラー／モノクロモード、解像度、画像ファイルのフォーマット等の条件を選択し、スキャン開始ボタンを押下する。
【００２４】
（Ｓ２）画像形成装置２０はこれに応答して、選択された条件の下で原稿画像をスキャンし、そのファイルスキャン画像ファイルＧを画像形成装置２０のメモリ上又は補助記憶装置内に生成する。
【００２５】
（Ｓ３）画像形成装置２０は次に、この画像の関連情報として、ログインの際に入力されたユーザ識別子及び画像形成装置２０の識別子、例えば機種名を含む関連情報ファイルＡＴを生成する。
【００２６】
（Ｓ４）画像形成装置２０は次に、ＯＳの共有サービスを用いてこれらスキャン画像ファイルＧ及び関連情報ファイルＡＴをファイル配信装置１０内の共有フォルダ１００内へ配信する（投入する）。これにより、共有フォルダ１００内には、スキャン画像ファイル１０１及び関連情報ファイル１０２が格納される。
【００２７】
（Ｓ５）フォルダ内監視モジュール１０３は、ＯＳの、バックグラウンドで動作するサービスソフトウェアに含まれるイベント通知機能を介して、共有フォルダ１００内にファイルが投入されたか否かを監視し、ファイルが投入されたことを検出した場合には、それらの拡張子からスキャン画像ファイルＧと関連情報ファイルＡＴの組であるか否かを判定する。肯定判定した場合には、ファイル解析モジュール１０４に制御を移す。フォルダ内監視モジュール１０３は、インターバルタイマのタイムアップイベントに応答して、共有フォルダ１００内にファイルが投入されたか否かを判定する構成であってもよい。
【００２８】
ファイル解析モジュール１０４は、図２に示すように、スキャン画像ファイル解析部１０５と、情報ファイル解析部１０６と、振分先解析部１０７とを備えている。
【００２９】
（Ｓ６）スキャン画像ファイル解析部１０５は、スキャン画像ファイル１０１からファイル名及び画像フォーマット（ファイル名の拡張子）を検出する。
【００３０】
（Ｓ７）情報ファイル解析部１０６は、関連情報ファイル１０２の内容からユーザ識別子及び送信元識別子を検出する。
【００３１】
（Ｓ８）振分先解析部１０７は、これらファイル名、画像フォーマット、ユーザ識別子、送信元識別子及びファイル作成日時（それぞれはファイル関連要素）を含むファイル関連情報と、例えば図３に示すような振分条件／振分先対応情報Ｉｎｆｏ１とから、振分先ＵＲＩを決定し、制御をファイル配信モジュール１０８へ移す。
【００３２】
図３において、振分条件は、１つ以上のファイル関連要素の論理式を含み、振分先解析部１０７は、ファイル関連情報がこの論理式を満たす場合、すなわち論理式の値が「真」である場合に、論理式に対応したファイル振分先アドレスを、このファイルの振分先アドレスと決定する。図３中の論理式の意味は次の通りである。
【００３３】
（１）論理式[KW=稟議]AND[KW=1000〜15000]は、ファイル名中にキーワードＫＷとして「稟議」が含まれ、且つ、ファイル名中にキーワードＫＷとして連番が含まれその番号が1000〜15000の範囲に含まれれば（番号が1000〜15000のいずれかという論理和を満たせば）、「真」となる。
【００３４】
（２）論理式[UID=Shizue]AND[KW=発注書控]AND[KW=総務課]は、ユーザ識別子ＵＩＤが「Shizue」であり、且つ、ファイル名中にキーワードＫＷとして「発注書控」及び「総務課」が含まれれば、「真」となる。
【００３５】
（３）論理式[KW=???-???-????]において、「?」は任意の１桁の数値であり、論理式[KW=???-???-????]は、ファイル名中にキーワードＫＷとして任意の３桁、３桁及び４桁の数字が「−」で結合されていれば、「真」となる。
【００３６】
（４）論理式[UID=Hanako]AND[MID=KM6235]AND([KW=経理]OR[KW=会計])は、ユーザ識別子ＵＩＤが「Hanako」であり、送信元装置識別子ＭＩＤが「KM6235」であり、且つ、ファイル名中にキーワードＫＷとして「経理」又は「会計」が含まれれば、「真」となる。
【００３７】
（５）論理式[UID=Taro]AND[Time<12:00]は、ユーザ識別子ＵＩＤが「Taro」であり、ファイルの属性であるファイル作成日時中の時刻が「12:00」前であれば、「真」となる。
【００３８】
（６）論理式[UID=Taro]AND[Time≧12:00]は、ユーザ識別子ＵＩＤが「Taro」であり、ファイルの属性であるファイル作成日時中の時刻が「12:00」以降であれば、「真」となる。
【００３９】
（７）論理式[GID=設計]AND[Format=PDF]は、グループ識別子ＵＩＤが「設計」であり、ファイルフォーマットが「ＰＤＦ」（ファイル拡張子が.pdf）であれば、「真」となる。
【００４０】
図３中のファイル振分先アドレスＡ〜Ｋはいずれもファイル配信装置１０内の図１に示すフォルダ１０９Ａ、１０９Ｂ若しくはフォルダ１０９ＣのＵＲＩ又はファイル配信装置１０外の共有フォルダＵＲＩであって、例えば、Ａ＝"SMB://192.168.126.162/SCAN/稟議/"、Ｊ＝"Design/"である。
【００４１】
上記論理式（１）〜（４）のように論理式の変数としてファイル名中の文字列を含んでいるので、ファイルの内容の種類に応じファイル振分先を自動決定することができる。
【００４２】
また、上記論理式（２）、（４）〜（７）のように論理式の変数としてユーザＩＤ又は部課等のグループＩＤを含んでいるので、ファイルの内容の種類が同一であっても、ユーザＩＤ又はグループＩＤに応じファイル振分先を異ならせることができる。
【００４３】
上記論理式（５）及び（６）は特に、ファイル受信者が時間帯によって異なる場所に存在する場合に好適である。
【００４４】
上記論理式（７）は、論理式の変数としてファイルフォーマットを含んでいるので、ファイルの内容の種類が同一であっても、ファイル形式に応じファイル振分先を異ならせることができる。
【００４５】
図３中のファイル名変更の列は、ファイル名を変更してファイルを配信することを意味する。但し、空欄はファイル名変更無しを意味する。例えば、「発注書[Count]」は、文字列「発注書」に、ファイル配信毎に１だけインクリメントされるソフトウェアカウンタ[Count]の値の文字列を付加したものにファイル名を変更することを意味する。FAX[Now]は、文字列「FAX」に、現在の日時[Now]の文字列を付加したものにファイル名を変更することを意味する。
【００４６】
図３中の配信時の列は、決められた時刻にファイルを配信することを意味する。但し、空欄は即時配信を意味する。例えば、「毎日10:00」は、その日の時刻10:00までファイルを溜めておき、時刻10:00になったらファイルを配信することを意味する。
【００４７】
１つのファイルのファイル関連情報が図３の振分条件／振分先対応情報Ｉｎｆｏ１中の複数行の振分条件を満たす場合、上の行ほど優先順位が高く、上の行から順に振分条件を照合し、最初に「真」となる行が適用される。この規則は、下の行ほど優先順位が高く、上の行から順に振分条件を照合し、最後に「真」となる行が適用されるようにしても、「真」となる行の全てが適用されるようにしても、これらの規則から１つ以上を選択可能にしてもよい。
【００４８】
（Ｓ９、Ｓ１０）ファイル配信モジュール１０８は、決定された振分先フォルダＵＲＩ内へスキャン画像ファイル１０１を、ＯＳのファイルシステムを介し配信（移動）し、又は、ＳＭＢプロトコルで配信する。関連情報ファイル１０２は、削除する。
【００４９】
（Ｓ１１）ファイル配信モジュール１０８は次に、前記配信を行った場合、配信先ＰＣ３ｉのプリンタドライバ３０２に備えられているステータスモニタ３０３に対し、スキャン画像ファイル１０１を共有フォルダ３０１内へ配信したことを示す情報を送信する。この情報送信は、既存のステータスモニタ３０３が用いるプロトコル、例えばＳＯＡＰ、ＳＮＭＰ又は独自のプロトコルで行われる。
【００５０】
例えばＳＮＭＰを用いる場合には、画像形成装置２０は、その状態情報をＰＣ３１〜３４のうち選択されたものへ送信するＳＮＭＰエージェントを備え、ＰＣ３１〜３４のステータスモニタ３０３は、画像形成装置２０の状態を受信して自装置の画面にこれを表示するＳＮＭＰマネージャを備えている。また、ファイル配信モジュール１０８は、InformRequestメッセージを生成してＳＮＭＰプロトコルでステータスモニタ３０３へ送信するＳＮＭＰマネージャを備えている。
【００５１】
（Ｓ１２）ステータスモニタ３０３は、この通知の受信に応答して、そのメッセージの内容を、画像形成装置１０の状態表示の場合と同様にして、ＰＣ３ｉの画面上にポップアップ表示する。
【００５２】
本実施例１によれば、ファイル振分先アドレスを、ファイル関連情報と、ファイル振分情報としての振分条件／振分先対応情報Ｉｎｆｏ１とに基づいてファイル振分先アドレスを決定し、このアドレスにファイルを配信するので、配信対象ファイル毎に振分先を指定することなく所望の振分先へファイルを配信することが可能となるという効果を奏する。
【００５３】
またファイル振分条件が、１つ以上のファイル関連要素の論理式を含み、ファイルの関連情報がこの論理式を満たす場合に該論理式に対応したファイル振分先アドレスをファイル振分先アドレスと決定するので、ファイル振分条件を容易に設定できるという効果を奏する。
【実施例２】
【００５４】
図７は、本発明の実施例２に係るファイル振分情報としての、図１中の振分条件／振分先対応情報の説明図である。
【００５５】
図３の振分条件は、１つ以上のファイル関連要素の論理式を明示的に含んでいるが、１つ以上のファイル関連要素の論理式を実質的に含めばよく、図７に示すように黙示的に含んでいてもよい。図７中の空白欄は、任意であることを示している。
【００５６】
図７では、ユーザ識別子（ユーザＩＤ）と送信元識別子とファイルに含まれる文字列とファイルフォーマット名（ファイル拡張子）との論理積が振分条件となっており、この論理積が暗黙的に含まれている。
【００５７】
例えば、ユーザＩＤが「Design1」（実施例１ではユーザＩＤとグループＩＤとを分けていたが、本実施例２では振分条件／振分先対応情報Ｉｎｆｏ２に関し両者を同一に取り扱っている。）の場合、送信元識別子が「KM6235」であるか「KM6325」であるかにより振分先が異なり、送信元識別子が「KM6235」の場合、ファイルに含まれる文字列が「稟議」、「報告」、「設計」、その他のいずれであるかにより振分先が異なり、その他の場合、ファイルフォーマットが「PDF」であるかその他であるかにより振分先が異なる。
【００５８】
図７の振分条件／振分先対応情報Ｉｎｆｏ２は、階層構造になっているので、例えばＸＭＬファイルで表現することができる。複数行の条件を満たす場合の優先順位については、実施例１の場合と同様である。
【００５９】
以上において、本発明の好適な実施例を説明したが、本発明には他にも種々の変形例が含まれ、上記複数の実施例で述べた構成要素の他の組み合わせ、各構成要素の機能を実現する他の構成を用いたもの、当業者であればこれらの構成又は機能から想到するであろう他の構成も、本発明に含まれる。
【００６０】
例えば、ファイル配信装置１０による振分先フォルダＵＲＩの決定は、他の情報を用いたり、上述の情報の一部のみを用いたりする構成であってもよい。
【００６１】
また、ファイル配信装置１０の機能を画像形成装置２０内に備えて、画像形成装置２０からＰＣ３ｉへファイルを直接送信する場合にも本発明を適用することができる。
【００６２】
また、配信対象のファイルはスキャナで読み取った画像ファイルに限定されず、ＦＡＸ受信ファイルやその他の一般のファイルであってもよい。配信形態には、任意のプロトコルによる配信が含まれ、ＦＴＰプロトコルによる配信、ファイルを添付した電子メールの配信又はＦＡＸによる配信等であってもよい。
【符号の説明】
【００６３】
１０  ファイル配信装置
１１、２１  ＣＰＵ
１２、２２  インターフェイス
１３、２３  ＰＲＯＭ
１４、２４  ＤＲＡＭ
１５、２５  ハードディスクドライブ
１６、２６  ネットワークインターフェイス
１７  会話型入出力装置
２０  画像形成装置
３１、３ｉ  ＰＣ
４０  ネットワーク
１００、３０１  共有フォルダ
１０１、Ｇ  スキャン画像ファイル
１０２、ＡＴ  関連情報ファイル
１０３  フォルダ内監視モジュール
１０４  ファイル解析モジュール
１０５  スキャン画像ファイル解析部
１０６  情報ファイル解析部
１０７  振分先解析部
１０８  ファイル配信モジュール
３０２  プリンタドライバ
３０３  ステータスモニタ
Ｉｎｆｏ１、Ｉｎｆｏ２  振分条件／振分先対応情報
Ｕ  ユーザ
【図１】
2011100264.tif 000003
【図２】
2011100264.tif 000004
【図３】
2011100264.tif 000005
【図４】
2011100264.tif 000006
【図５】
2011100264.tif 000007
【図６】
2011100264.tif 000008
【図７】
2011100264.tif 000009